(57)【要約】【課題】  従来、建築駆体に外壁パネルを取付けるには、建築駆体に金具類を取付け、この金具類に外壁パネルを取付けるという二段階施工が採用されていた。二段階施工のため、工期が必然的に延びる。【解決手段】  予め、パネル本体２１に断熱材２４を貼り付け、且つ上下辺から脚部材２２、２２を延ばし外壁パネル２０Ｂを準備する。この外壁パネル２０Ｂを建築駆体３８に沿わせ、脚部材２２、２２をコンクリートピン３９、３９で固定する。【効果】  予め建築駆体に金具類を取付ける必要が無い。すなわち、コンクリートピンを打ち込むだけの一工程で取付け作業を終えることができる。この結果、現場での工期を大幅に短縮することができる。【選択図】        図７
2005120705.tif 000002
【特許請求の範囲】
【請求項１】
建築駆体に取付ける外壁パネルにおいて、この外壁パネルは、矩形のパネル本体と、このパネル本体の上下辺の少なくとも一方の辺に基部を埋設するとともに先端を建築駆体へ延ばした脚部材と、からなることを特徴とする外壁パネル。
【請求項２】
前記パネル本体は、建築駆体側の面に、空気を上下に流通させる凹部を備えたことを特徴とする請求項１記載の外壁パネル。
【請求項３】
前記凹部を確保しつつ前記パネル本体の建築駆体側の面に断熱材を付設し、この断熱材の建築駆体側の面に、前記脚部材の先端が合致するように脚部材の長さを決定したことを特徴とする請求項１又は請求項２記載の外壁パネル。
【請求項４】
前記断熱材は、接着剤によりパネル本体に付設したことを特徴とする請求項３記載の外壁パネル。
【発明の詳細な説明】
【技術分野】
【０００１】
本発明は施工期間を大幅に短縮することが可能な外壁パネルに関し、特に外断熱パネルに好適な外壁パネルに関する。
【背景技術】
【０００２】
従来、建築駆体の外に断熱壁を取付けて、断熱性を強化する外断熱構造が提案されている。（例えば、特許文献１。）。
【特許文献１】特開２００１−３４２６９３公報（図７）
【０００３】
図１０は特許文献１の図７の再掲図（ただし、Ｌ１とＬ２は書き加えた。）であり、駆体（１）に、アングル材（７）を取付け、このアングル材（７）に区画板（６）を取付け、この区画板（６）の先端にアングル材（８）を取付けることを内容として金具類（アングル材（７）＋区画板（６）＋アングル材（８））を取付ける。次に、断熱材（２）を駆体（１）に密着させる要領で取付ける。最後に外装パネル（３）、（３）をボルト（１１）にてアングル材（８）に取付けることで、駆体（１）への断熱材（２）及び外装パネル（３）の取付けが完了する。
【０００４】
厚さＬ１の断熱材（２）により、駆体（１）の断熱性能を強化することができる。そして、厚さＬ２の通気層（４）を確保し、この通気層（４）に空気を流通させることにより、駆体内部等から来る水蒸気を排出したり、外装パネル（３）の急激な温度変化を抑制して、外装パネル（３）の耐久性を上げることができる。
【０００５】
しかし、金具類の取付工事を終えてから、断熱材（２）及び外壁パネル（３）を取付けるため施工期間が長くなる。特に、断熱材（２）は取付けたが、外装パネル（３）を取付ける前に雨が降ると断熱材（２）が濡れ、断熱材（２）の性能回復に時間を要することがある。
【０００６】
また、断熱材（２）は、駆体（１）に密着させるとともに、所定の通気層（４）の厚さＬ２を確保するために、駆体（１）へ固定用部材などを用いて留め付ける必要がある。
この様に、従来の工法では、施工期間が長くなり、通気層の確保が難しいという問題ががある。
【発明の開示】
【発明が解決しようとする課題】
【０００７】
本発明は、施工期間が短くて済み、且つ通気層が十分に確保できる外壁パネルを提供することを課題とする。
【課題を解決するための手段】
【０００８】
請求項１に係る発明は、建築駆体に取付ける外壁パネルにおいて、この外壁パネルは、矩形のパネル本体と、このパネル本体の上下辺の少なくとも一方の辺に基部を埋設するとともに先端を建築駆体へ延ばした脚部材と、からなることを特徴とする。
【０００９】
脚部材の先端を建築駆体に当てつつパネル本体を建築駆体に沿わせ、脚部材をコンクリートピンなどの締結金具で止める。これで、外壁パネルを建築駆体に取付けることができる。
従来の金具類取付け工程と外装パネル取付け工程とからなる二工程を、請求項１では脚部材取付けの一工程で済ませることができ、施工期間の大幅な短縮が可能となる。
【００１０】
請求項２に係る発明では、パネル本体は、建築駆体側の面に、空気を上下に流通させる凹部を備えたことを特徴とする。
凹部をパネル本体に形成したため、空気層の厚さが変化する心配が無い。
【００１１】
請求項３に係る発明では、凹部を確保しつつパネル本体の建築駆体側の面に断熱材を付設し、この断熱材の建築駆体側の面に、脚部材の先端が合致するように脚部材の長さを決定したことを特徴とする。
パネル本体に断熱材を予め付設しておくため、従来の金具類取付け工程と断熱材取付け工程と外装パネル取付け工程とからなる三工程を、請求項３では脚部材取付けの一工程で済ませることができ、施工期間の大幅な短縮が可能となる。
【００１２】
請求項４に係る発明は、断熱材は、接着剤によりパネル本体に付設したことを特徴とする。
断熱材は、ねじと金具を用いてパネル本体に付設することができる。しかし、断熱材を接着剤によりパネル本体に接着すれば、低コストで且つ迅速に断熱材をパネル本体に付設することができる。
【発明の効果】
【００１３】
請求項１に係る発明によれば、脚部材の先端を建築駆体に当てる要領で、パネル本体を建築駆体に沿わせ、脚部材をコンクリートピンなどの締結金具で止める。これで、外壁パネルを建築駆体に取付けることができる。
従来の金具類取付け工程と外装パネル取付け工程とからなる二工程を、請求項１では脚部材取付けの一工程で済ませることができ、施工期間の大幅な短縮が可能となる。
【００１４】
請求項２に係る発明によれば、パネル本体は、建築駆体側の面に、空気を上下に流通させる凹部を備えたことを特徴とし、凹部をパネル本体に形成したため、空気層の厚さが変化する心配が無い。
【００１５】
請求項３に係る発明によれば、凹部を確保しつつパネル本体の建築駆体側の面に断熱材を付設し、この断熱材の建築駆体側の面に、脚部材の先端が合致するように脚部材の長さを決定したことを特徴とする。
パネル本体に断熱材を予め付設しておくため、従来の金具類取付け工程と断熱材取付け工程と外装パネル取付け工程とからなる三工程を、請求項３では脚部材取付けの一工程で済ませることができ、施工期間の大幅な短縮が可能となる。
【００１６】
請求項４に係る発明によれば、断熱材は、接着剤によりパネル本体に付設したことを特徴とする。
断熱材は、ねじと金具を用いてパネル本体に付設することができる。しかし、断熱材を接着剤によりパネル本体に接着すれば、低コストで且つ迅速に断熱材をパネル本体に付設することができる。
【発明を実施するための最良の形態】
【００１７】
本発明を実施するための最良の形態を添付図に基づいて以下に説明する。
図１は本発明に係る外壁パネル（第１実施例）の斜視図であり、外壁パネル２０は、横長矩形のパネル本体２１と、このパネル本体２１の上辺に設けた複数個の脚部材２２・・・（・・・は複数個を示す。以下、同じ）と、下辺に設けた係合具２３・・・と、背面に付設した断熱材２４とからなる。
【００１８】
パネル本体２１は、ＧＲＣ（ガラス繊維強化コンクリート）板が好適であるが、単なるコンクリート板、軽量コンクリート板、樹脂板、セラミックス板、ガラス板、石材板又はそれらの複合材からなる板であれば、材質は問わない。コンクリート板に金属薄板を積層した物はパネル本体２１に含めるが、オール金属板やオール軽量金属板は除外する。
【００１９】
断熱材２４は、軽量で不燃性のグラスウール系断熱材が好適であるが、その他、ロックウール系断熱材、珪酸カルシウム系断熱材、セラミックスウール系断熱材、発泡プラスチック系断熱材でもよく、建築材料に適用可能であれば種類は問わない。
【００２０】
図２は本発明に係る外壁パネル（第１実施例）の分解斜視図であり、パネル本体２１の裏面に、上段４個の矩形島２５・・・と下段４個の矩形島２６・・・と左縁２７と右縁２８とを残して、他の部位は窪ませて大きな凹部２９を形成したことを特徴とする。
そして、上段４個の矩形島２５・・・と下段４個の矩形島２６・・・と左縁２７と右縁２８とに接着剤３１・・・を載せ（又は塗り）、そこへ断熱材２４を重ねて一体化する。
【００２１】
図３は図１の３−３線断面図であり、パネル本体２１と断熱材２４との間に、凹部２９の深さに相当する厚さＬ３の空気通路３２が確保できたことを示す。この空気通路３２は上下端が塞がれていないので、空気は上下に自在に流通する。
【００２２】
断熱材２４は、矩形島２５、２６に接着剤３１、３１で接着してあるため、空気通路３２の厚さＬ３が増加又は減少する心配なく、長期間に亘って厚さＬ３を維持することができる。
【００２３】
なお、断熱材２４は、ねじと金具を用いてパネル本体２１に付設することができる。しかし、断熱材２４を接着剤３１によりパネル本体２１に接着すれば、低コストで且つ迅速に断熱材２４をパネル本体２１に付設することができる。
【００２４】
図４は図１の４−４線断面図であり、パネル本体２１の上部に、階段状に折り曲げた脚部材２２を設け、パネル本体２１の下部にＩ字断面の係合具２３を設けたことを示す。脚部材２２は、帯鋼を折り曲げることで第１面３３、第２面３４及び第３面３５の３つの面を有し、第３面３５にボルト穴３６を有する。第１面３３はパネル本体２１に埋設する部位となる。
【００２５】
詳細には、図示せぬ型枠に鉄筋３７・・・を収め、鉄筋３７、３７に脚部材２２の第１面３３を溶接止めする。別の鉄筋３７、３７に係合具２３の一端を溶接止めする。この状態で、ガラス繊維入りセメント等を型枠に流し込むことで、凹部２９を備えたパネル本体２１を製造することができる。
パネル本体２１が固化し、所定以上の強度が得られるようになったら、接着剤３１、３１にて、断熱材２４を接着する。
【００２６】
断熱材２４の外面（図右側の面、建築駆体に望む面）は、脚部材２２の第３面３５の外面（図右側の面、建築駆体に望む面）と面一若しくは第３面３５の外面から若干突出させる。この結果、施工の際に、断熱材２４の外面を建築駆体に密着させることができる。
【００２７】
図５（ａ）〜（ｃ）は、本発明の係る外壁パネル（第１実施例）の施工要領図である。
（ａ）において、建築駆体３８の下位位置にコンクリートピン３９にて、アングル４１を止める。このアングル４１には、予め雌ねじ部４２を有する小片４３を立てておく。
【００２８】
（ｂ）において、アングル４１に、外壁パネル２０を載せ、それの係合具２３を、ボルト４４にて小片４３に結合する。なお、この段階では、ボルト４４は仮締め（軽く締めること）にとどめることが望ましい。次に、上部の脚部材２２の第３面３５を建築駆体３８にコンクリートピン３９で固定する。前記ボルト４４が仮締めであったならば、この時点で本締め（本格的に締めること）を実施する。
【００２９】
（ｃ）において、新しい外壁パネル２０を、脚部材２２に載せ、係合具２３を脚部材２２に立てた小片４５にボルト４６で止めると共に、脚部材２２の第３面３５を建築駆体３８にコンクリートピン３９で固定する。
以上の施工を繰り返すことにより、複数段の外壁パネル２０・・・を建築駆体３８に取付けることができる。
【００３０】
図６は本発明に係る外壁パネル（第２実施例）の断面図であり、（ａ）は最下段用の外壁パネルを示し、（ｂ）はそれ以外の段用の外壁パネルを示す。
（ａ）に示す外壁パネル２０Ｂは、空気を流通させる凹部２９を備えたパネル本体２１と、このパネル本体２１の上辺及び下辺に設けた脚部材２２、２２と、背面に付設した断熱材２４とからなる。すなわち、この外壁パネル２０は上下辺に脚部材２２、２２を備えたことを特徴とする。加えて、上辺側の脚部材２２の第２面３４に嵌合用穴４７を設けておく。
【００３１】
（ｂ）に示す外壁パネル２０Ｃは、空気を流通させる凹部２９を備えたパネル本体２１と、このパネル本体２１の上辺に設けた脚部材２２と、パネル本体２１の下辺に設けたアングル４８と、背面に付設した断熱材２４とからなる。アングル４８には下方へ延びる突起４９を設ける。この突起４９の位置は、脚部材２２の第２面３４に開けた嵌合用穴４７に合わせる。
【００３２】
図７は本発明に係る外壁パネル（第２実施例）の施工要領図である。
（ａ）において、外壁パネル２０Ｂを建築駆体３８に沿わせ、上下の脚部材２２、２２をコンクリートピン３９、３９で建築駆体３８に固定する。これで、外壁パネル２０の建築駆体３８への取付けが完了する。
【００３３】
（ｂ）において、下段の外壁パネル２０Ｂの上辺側の脚部材２２に設けた嵌合用穴４７に、上の外壁パネル２０Ｃのアングル４８に設けた突起４９を嵌合する要領で、外壁パネル２０Ｂに外壁パネル２０Ｃを載せる。そして、上の外壁パネル２０Ｃの上辺側の脚部材２２をコンクリートピン３９で建築駆体３８に固定すれば、上の外壁パネル２０Ｃを建築駆体３８に固定することができる。
【００３４】
以降、外壁パネル２０Ｃに新たな外壁パネル２０Ｃを載せることで、複数段の外壁パネル２０Ｂ、２０Ｃ・・・を建築駆体３８に取付けることができる。
この取付けでは、建築駆体３８に予め金具類を取付ける必要は無い。すなわち、従来の金具類取付け工程と外装パネル取付け工程とからなる二工程を、本実施例では脚部材取付けの一工程で済ませることができ、施工期間の大幅な短縮が可能となる。
【００３５】
さらに、断熱材２４、２４は、建築駆体３８に密着させることができる。結果的に、断熱材２４は建築駆体３８とパネル本体２１とで挟持されるため、長時間を経ても断熱材２４が空気通路３２へ張出して、空気通路３２を狭めるといった不具合は発生しない。
【００３６】
図８は図２の別実施例図であり、パネル本体２１の裏面に、上段４個の矩形島２５・・・と下段４個の矩形島２６・・・と左縁２７と右縁２８とを残して、他の部位は窪ませて大きな凹部２９を形成するとともに、別途製作した矩形ピース５１・・・を中段に付設したことを特徴とする。
矩形ピース５１・・・を設けることで、パネル本体２１の縦寸法を増加させることができる。
【００３７】
図９は図２の更なる別実施例図であり、パネル本体２１の裏面に、上段４個の矩形島２５・・・と下段４個の矩形島２６・・・と左縁２７と右縁２８と複数本（実施例では３本）の縦桟５２・・・を残して、他の部位は窪ませて縦長の複数個（実施例では４個）の凹部２９・・・を形成したことを特徴とする。
縦桟５２・・・を設けることで、パネル本体２１の曲げ剛性を高めることができる。
【００３８】
尚、請求項１は、背面の凹部や断熱材を有しない外壁パネルを含む。請求項２は、背面に断熱材を備えない外壁パネルを含む。請求項３では、断熱材は接着、ビス止め、ボルト止め、その他これらに類する手法でパネル本体に付設すればよい。
【００３９】
また、コンクリートピンは、ドリルで開けた孔に金具をねじ込む形式の締結金具、火薬や圧縮空気で打ち込むコンクリート釘であってもよく、コンクリート壁に後から取付けることできる金具であれば、種類は問わない。
【産業上の利用可能性】
【００４０】
本発明の外壁パネルは、家屋の外壁に好適である。
【図面の簡単な説明】
【００４１】
【図１】本発明に係る外壁パネル（第１実施例）の斜視図である。
【図２】本発明に係る外壁パネル（第１実施例）の分解斜視図である。
【図３】図１の３−３線断面図である。
【図４】図１の４−４線断面図である。
【図５】本発明の係る外壁パネル（第１実施例）の施工要領図である。
【図６】本発明に係る外壁パネル（第２実施例）の断面図である。
【図７】本発明に係る外壁パネル（第２実施例）の施工要領図である。
【図８】図２の別実施例図である。
【図９】図２の更なる別実施例図である。
【図１０】特許文献１の図７の再掲図である。
【符号の説明】
【００４２】
２０、２０Ｂ、２０Ｃ…外壁パネル、２１…パネル本体、２２…脚部材、２４…断熱材、２９…凹部、３１…接着剤、３２…空気通路、３８…建築駆体。
【図１】
2005120705.tif 000003
【図２】
2005120705.tif 000004
【図３】
2005120705.tif 000005
【図４】
2005120705.tif 000006
【図５】
2005120705.tif 000007
【図６】
2005120705.tif 000008
【図７】
2005120705.tif 000009
【図８】
2005120705.tif 000010
【図９】
2005120705.tif 000011
【図１０】
2005120705.tif 000012